【事件の表示】
　平成８年特許願第２３１９５８号「高速Ｘ線ＣＴスキャナ装置」拒絶査定不服審判事件〔平成１０年３月２４日出願公開、特開平１０−７５９４４〕について、次のとおり審決する。
【結　論】
　本件審判の請求は、成り立たない。
【理　由】
［１］経緯・本件発明
　本件は、平成８年９月２日の出願であって、その請求項１に係る発明は、手続補正書により補正された明細書および図面の記載からみて、特許請求の範囲の請求項１に記載された次のとおりのものと認める。（以下、「本件発明」という）
「測定対象物を囲む円周上に配置され、該測定対象物に向けてＸ線を照射する複数個のＸ線管と、
　前記Ｘ線管と異径同心円周上に配置され、前記Ｘ線管から照射されて測定対象物を透過したＸ線を検出する複数個の検出器と、
　前記複数個のＸ線管のうち、前記検出器へのＸ線入射領域が重ならない位置の少なくとも２つ以上のＸ線管の各々に接続され、該少なくとも２つ以上のＸ線管にＸ線を照射する信号を同時に伝える複数の信号発生器と、
　前記複数の信号発生器を順次制御する信号発生制御器と、
　前記検出器の検出情報に基づいて前記測定対象物の断面画像情報を得る処理手段と
　を具備したことを特徴とする高速Ｘ線ＣＴスキャナ装置。」
　
［２］原査定の拒絶の理由に引用された刊行物に記載された事項
刊行物１；特開昭５３−３１７７号公報
「被写体を囲む円周上に配置された多数の放射線源と、これら各放射線源よりそれぞれ扇形の放射線ビームを形成するコリメータ装置と、被写体を通過した前記各放射線ビームをそれぞれ検出する多数の検出器とを備え、前記多数の放射線源を順次動作させるようにした断層撮影装置。」（特許請求の範囲）
　
「以下、本発明の１実施例について図面を参照しながら説明する。第１Ａ図および第１Ｂ図に示すように、多数の（図では１６個）３極Ｘ線管１０１〜１１６が被写体を囲む円周上に配置されている。・・・体軸に対して第１Ｂ図に示すように多少傾いたものとする必要がある。
　３極Ｘ線管１０１〜１１６は順次動作するよう構成される。すなわち、第２図に示すように・・・１０１からＸ線が発射される。・・・引き続いて次の１ｍｓｅｃで３極Ｘ線管１０２からＸ線の発射を行い、このときの被写体を透過したＸ線のデータをデータ処理回路７８に入力する。こうして、次々に各Ｘ線管からＸ線の発射が行われ、上述の例で言えば、１６ｍｓｅｃ後には全周のＸ線管からのＸ線発射が終了し、１６の方向からのプロフィル・データが得られ、これらがデータ処理回路７８に入力されることになる。
　データ処理回路７８では・・・心臓の断層Ｘ線像を得る。」（１頁右下欄１６行−２頁左下欄６行）
　
刊行物２；特開昭５５−１２９０４３号公報
「以下本発明の１実施例について図面を参照しながら説明する。第１図において、１は被検人体であり、ベッド２に横臥している。・・・このカソード６ａ，６ｂ，６ｃは円筒７に取りつけられ、この円筒７は絶縁円板１６を介して軸１１に連結されており回転可能に支持されている。・・・真空状態とされている。
　軸１１が回転するとカソード６ａ，６ｂ，６ｃはアノード４に対向しながら回転し、カソード６ａ，６ｂ，６ｃのそれぞれの位置に対応して設けられた円筒７の切欠部７ａ，７ｂ，７ｃ（第２図参照）を通してＸ線が前記凹部３１内の内側に向けて発射される。・・・Ｘ線検出器２０に直接入射するのを防いでいる。
　カソードを１個とした場合には軸１１が１回転すると断層像を構成するのに必要な全データが得られ、図示のように３個取りつけた場合には１／３回転で必要なデータが得られる。」（１右下欄１４行−２頁右上欄１６行）
　
刊行物３；特開平２−５２６４０号公報
「以上が第３世代Ｘ線ＣＴスキャナ装置の構成であるが、この構成を延長したものとして複数のＸ線源とＸ線検出器とのペアを持つ装置が知られている。第４図は、・・・第１のペアＡとしてＸ線源２ａ，Ｘ線検出器３ａと、第２のペアＢとして・・・第３のペアＣとして・・・とを有し、これらは回転中心Ｏに対して１２０°ずつずらして配置し、１／３回転すれば、全く元の状況になるように回転対称としている。」（２頁左上欄５−１４行）
 　
［４］対比・判断
　刊行物１に記載された発明の、測定対象物を囲む円周上に配置され、該測定対象物に向けてＸ線を照射する複数個のＸ線管は、順次１個ずつ駆動されるものであるが、Ｘ線管としては本件発明のＸ線管と相違はなく、本件発明と刊行物１に記載された発明とは、
「測定対象物を囲む円周上に配置され、該測定対象物に向けてＸ線を照射する複数個のＸ線管と、
　前記Ｘ線管と異径同心円周上に配置され、前記Ｘ線管から照射されて測定対象物を透過したＸ線を検出する複数個の検出器と、
　前記複数個のＸ線管の各々に接続され、該Ｘ線管にＸ線を照射する信号を伝える信号発生器と、
　前記信号発生器を順次制御する信号発生制御器と、
　前記検出器の検出情報に基づいて前記測定対象物の断面画像情報を得る処理手段と
　を具備したことを特徴とする高速Ｘ線ＣＴスキャナ装置」
で一致し、次の点で相違する。
　
　本件発明は、複数個のＸ線管のうち、検出器へのＸ線入射領域が重ならない位置の少なくとも２つ以上のＸ線管の各々に接続され、該少なくとも２つ以上のＸ線管にＸ線を照射する信号を同時に伝える複数の信号発生器と、前記複数の信号発生器を順次制御する信号発生制御器と、前記検出器の検出情報に基づいて前記測定対象物の断面画像情報を得る処理手段と
　を具備、であるのに対し、刊行物１に記載された発明では、
　複数個のＸ線管の各々に接続され、該Ｘ線管にＸ線を照射する信号を伝える信号発生器と、前記信号発生器を順次制御する信号発生制御器と、前記検出器の検出情報に基づいて前記測定対象物の断面画像情報を得る処理手段と
　を具備、である点。
　
　上記相違点について検討するに、
　刊行物１においてＸ線管１０１〜１１６を順次駆動制御することは、画像の再構成に必要な３６０°にわたった透過データを得るためのものであるところ、刊行物２および刊行物３には、Ｘ線源を回転させるＸ線ＣＴ装置においてではあるが、回転体の周囲にＸ線源を３つ設けて、これらを回転中心に対して１２０°ずつずらして配置（すなわち、検出器へのＸ線入射領域が重ならない位置の３つのＸ線管）し、該３つのＸ線管から同時にＸ線を発生させてＸ線透過データを同時に検出すれば、１／３回転しただけで画像の再構成に必要な３６０°にわたったＸ線透過データを得ることができることが記載されており、測定対象物を囲む円周上のＸ線管を回転させることと、測定対象物を囲む円周上に複数個のＸ線管を配置して順次Ｘ線管を駆動することが画像の再構成に必要な３６０°にわたったＸ線透過データを得る技術的意味として等価であることは明らかである（例えば、特開平７−２８９５４３号公報の「３次元のＸ線立体像を高速で撮影する装置としては・・・に記載の装置があった。本装置は、２８個のＸ線管と２８個の画像検出器を大型の回転機構に装着し・・・Ｘ線立体像を再構成する。・・・。また、別のＸ線立体像を高速で撮影する装置としては、「新医療（産業科学社、１９９３年１０月号）、第７８〜８１頁」に記載の装置があった。本装置は、Ｘ線発生装置が吊り鐘型の真空容器の中で電子ビームを走査する方式であり、電子ビームの走査によりＸ線発生点が、被写体回りの円周上を移動する。このため、機械的な移動機構を用いずに、被写体の多方向からのＸ線透過像を高速で撮影できる。これにより５０ミリ秒の短時間で、同時に８枚の被写体断層像が撮影可能であり、心臓の断層像も撮影できる。」（３欄４８行〜４欄２７行）の記載参照。）から、刊行物２および刊行物３に記載された、検出器へのＸ線入射領域が重ならない位置の３つのＸ線管から同時にＸ線を発生させてＸ線透過データを同時に検出する技術を刊行物１の複数のＸ線管に応用することに困難はなく、３つ（これは、「少なくとも２つ以上」の要件を満たす。）のＸ線管にＸ線を照射する信号を同時に伝える複数の信号発生器と、前記複数の信号発生器を順次制御する信号発生制御器と、前記検出器の検出情報に基づいて前記測定対象物の断面画像情報を得る処理手段は、上記応用に際し当業者が普通に考える構成であるから（上記特開平７−２８９５４３号公報の【０００９】の記載を参照。）、相違点に係る本件発明の構成を得ることは当業者が容易になし得ることができたことである。
　
　そして、明細書に記載された本件発明の作用効果は、刊行物１ないし刊行物３に記載された事項および周知慣用技術から当業者が容易に予測しうるものであって格別のものとは認められない。
　
［５］むすび
　以上の検討によれば、本件発明は、刊行物１ないし刊行物３に記載された発明および周知慣用技術に基いて当業者が容易に発明をすることができたものと認められるから、特許法第２９条２項の規定により特許を受けることができない。
　よって、結論のとおり審決する。